(57)【特許請求の範囲】
【請求項１】
前面に開口を形成し、この開口を開閉可能に覆蓋する扉を取り付けた本体枠と、
パチンコ球のガイドレールによって区画形成された遊技領域を有し、該遊技領域内にパチンコ球を転動させるため複数本の障害釘が打ち付けられ、該障害釘を遊技盤に打ち付けるときに使用された自動釘打ち機の識別標識を一側端面に付した遊技盤とを備え、前記遊技盤を前記本体枠の開口内に取り付けたパチンコ機において、
前記開口の前記遊技盤取付面における前記識別標識が対面する部位を凹部に形成することにより、該部位と前記識別標識との間に隙間を形成したことを特徴とするパチンコ機。
【請求項２】
前記遊技盤を合成樹脂で成形し、該遊技盤の一側端面にシートを貼着し、該シートに前記識別標識を付したことを特徴とする請求項１に記載のパチンコ機。
【発明の詳細な説明】
【技術分野】
【０００１】
本発明はパチンコ機に関する。
【背景技術】
【０００２】
一般にパチンコ機は、前面に開口を形成し、この開口を開閉可能に覆蓋する扉を取り付けた本体枠を備え、本体枠の開口内部に遊技盤が取り付けられている。
遊技盤には、パチンコ球のガイドレールに囲まれた遊技領域が形成されている。この遊技領域内には発射ハンドルの操作に伴いガイドレールに沿って遊技領域内に打ち出されて落下するパチンコ球を転動させるため複数本の障害釘が打ち付けられている。
【０００３】
ところで、パチンコ機の製造工程において遊技盤に障害釘を打ち付ける工程は自動釘打ち機によって行われる。自動釘打ち機に不具合があって、障害釘が所定位置に正確に打ち付けられていないと、パチンコ機に作動不良が生じる。
パチンコ機の製造工程では複数台の自動釘打ち機が使用されているが、障害釘に起因する作動不良がパチンコ機に生じた場合、複数台の自動釘打ち機のうち、いずれの釘打ち機が作動不良を生じたパチンコ機の釘打ち工程で使用されたかを識別するため、遊技盤の一側端面に自動釘打ち機の識別標識を付している。この識別標識は遊技盤の一側端面に、インクジェットからインクを噴射し、あるいはスタンプを用いて捺印することにより付されている。
【先行技術文献】
【特許文献】
【０００４】
【特許文献１】引用なし
【発明の概要】
【発明が解決しようとする課題】
【０００５】
ところで、遊技盤をパチンコ機の本体枠にはめ込むときや、本体枠から取り外す際、識別標識が本体枠の遊技盤取付面に接触して判読不能に汚れることがある。
【０００６】
また、遊技盤の材質としてベニヤ板を使用する場合は、インクジェットやスタンプを用いて識別標識を付すことができるものの、遊技盤の材質にアクリル樹脂、ポリカーボネート樹脂等の合成樹脂板を用いた場合、インクが付着しにくく、識別標識を付すことが困難である。
【０００７】
本発明はかかる問題点に鑑み、パチンコ機の遊技盤に付された自動釘打ち機の識別標識が遊技盤をパチンコ機の本体枠に着脱する際、判読不能に汚れるのを防止できるパチンコ機を提供することを目的とする。
また、遊技盤の材質にアクリル樹脂等の合成樹脂板を使用しても鮮明に自動釘打ち機の識別標識を付することができるパチンコ機を提供することを目的とする。
【課題を解決するための手段】
【０００８】
請求項１に記載の発明は、前面に開口を形成し、この開口を開閉可能に覆蓋する扉を取り付けた本体枠と、
パチンコ球のガイドレールによって区画形成された遊技領域を有し、該遊技領域内にパチンコ球を転動させるため複数本の障害釘が打ち付けられ、該障害釘を遊技盤に打ち付けるときに使用された自動釘打ち機の識別標識を一側端面に付した遊技盤とを備え、前記遊技盤を前記本体枠の開口内に取り付けたパチンコ機において、
前記開口の前記遊技盤取付面における前記識別標識が対面する部位を凹部に形成することにより、該部位と前記識別標識との間に隙間を形成したことを特徴とする。
【０００９】
請求項２に記載の発明は請求項１に記載のパチンコ機において、
前記遊技盤を合成樹脂で成形し、該遊技盤の一側端面にシートを貼着し、該シートに前記識別標識を付したことを特徴とする。
【発明の効果】
【００１０】
請求項１に記載の発明によれば、前記開口の前記遊技盤取付面における前記識別標識が対面する部位と前記識別標識との間に隙間を形成したので、遊技盤をパチンコ機の本体枠に着脱する際、識別標識が本体枠開口の遊技盤取付面に接触しない。そのため、識別標識が本体枠開口の取付面と接触して判読不能に汚れるのを防止できる。
また、本端枠の開口の遊技盤取付面における遊技盤の識別標識が対面する部位を凹部にしたので、遊戯盤を本体枠開口に着脱する際、識別標識が本体枠開口の取付面に接触して判読不能に汚れるのを防止できる。
【００１１】
請求項２に記載の発明によれば、遊技盤に直接識別標識を付すのではなくて、遊技盤の一側端面にシートを貼着し、このシートに識別標識を付すので、遊技盤の材質にインクが付着し難い合成樹脂板を使用しても識別標識を付すことが可能となる。
【図面の簡単な説明】
【００１２】
【図１】本発明の第１参考例に係るパチンコ機を示す斜視図である。
【図２】同パチンコ機を示す分解斜視図である。
【図３】同パチンコ機の遊技盤を示す正面図である。
【図４】同パチンコ機の遊技盤を示す底面図である。
【図５】同パチンコ機の遊技盤と取付プレートを示す正面図である。
【図６】本発明の第２参考例に係るパチンコ機における遊技盤を示す底面図である。
【図７】本発明の第１実施例に係るパチンコ機を示す斜視図である。
【図８】同パチンコ機を示す分解斜視図である。
【図９】同パチンコ機の遊技盤を示す正面図である。
【図１０】同パチンコ機の遊技盤を示す底面図である。
【図１１】同パチンコ機の遊技盤と取付プレートを示す正面図である。
【図１２】本発明の第２実施例に係るパチンコ機の遊技盤を示す底面図である。
【参考例１】
【００１３】
以下に本発明を図面に基づき説明する。図１及び図２には本発明の第１参考例に係るパチンコ機１０が示されている。当該パチンコ機１０は本体枠１１、扉１２及び遊技盤１３を備えている。
【００１４】
本体枠１１には前面開口１１ａが形成され、前面開口１１ａを開閉可能に覆蓋するように扉１２が本体枠１１にヒンジ１４で取り付けられている。扉１２には窓１２ａが形成され、窓１２ａの下部には上皿１５、下皿１６、発射ハンドル１７等が配設されている。また、窓１２ａに透明保護板１８がはめ込まれている。
【００１５】
本体枠１１の前面開口１１ａの内部には遊技盤１３と、その背後に液晶表示装置１９が取り付けられている。遊技盤１３の材質には積層したベニヤ板が用いられている。また、遊技盤１３にはガイドレール２０，２１が取り付けられ、ガイドレール２０，２１によって遊技領域１３ａが区画形成されている。
【００１６】
図３に詳細を示すように、遊技盤１３のガイドレール２０，２１によって囲まれた遊技領域１３ａ内には中央開口１３ｂが形成され、中央開口１３ｂ内に図示略の各種電飾ユニットが配設されるとともに、中央開口１３ｂを通して液晶表示装置１９により各種図柄が表示される。また、遊技領域１３ａ内の中央開口１３ｂを除く部分にはガイドレール２０，２１に沿って遊技領域１３ａ内に進入したパチンコ球を転動させるため多数の障害釘２２が打ち付けられている。
【００１７】
遊技盤１３の底辺中央部には嵌合用凹部１３ｃが形成されている。また、嵌合用凹部１３ｃの一側に識別標識用凹部１３ｄが形成されている。識別標識用凹部１３ｄの底面には、図４に示すように、パチンコ機の製造工程において、この遊技盤１３の障害釘２２を打ち付ける工程に使用した自動釘打ち機の識別標識番号１３ｅである「１−２１１０２６」がインクジェットを用いて付されている。
【００１８】
一方、本体枠１１の開口端面１１ａに遊技盤１３の金属製取付プレート２３が固着されている。金属製取付プレート２３は縦プレート片２３ａと横プレート片２３ｂからなるＬ字形の輪郭を有し、その縦プレート片２３ａに上下一対の掛止金具２３ｃが固着されている。また、横プレート片２３ｂに嵌合凸部２３ｄが形成されている。
図５に示すように、遊技盤１３は左端縁部を掛止金具２３ｃに掛止し、底面を横プレート片２３ｂに当接させるとともに嵌合凸部２３ｄを嵌合凹部１３ｃに嵌合することにより、本体枠１１の前面開口１１ａ内に組み付けられている。
【００１９】
本参考例に係るパチンコ機１０の構造は以上の通りであって、遊技盤１３の底面に形成した識別標識用凹部１３ｄの底面に識別標識番号１３ｅを付したので、遊技盤１３を本体枠１１に着脱する際、識別標識番号１３ｅと横プレート片２３ｂとの間に隙間が形成される。そのため、識別標識番号１３ｅが本体枠１１の取付面となる横プレート片２３ｂと接触して判読不能に汚れるのを防止できる。
【参考例２】
【００２０】
次に、本発明の第２参考例に係るパチンコ機１０における遊技盤１３Ａを図６に示す。当該遊技盤１３Ａの材質にはアクリル樹脂板が使用されている。また、遊技盤１３Ａの底面に形成した識別標識用凹部１３ｄには紙製シート３１が貼着され、該シート３１にスタンプで自動釘打ち機の識別標識番号１３ｅとして「２」の数字が捺印されている。
なお、本参考例に係るパチンコ機１０の他の構造は図１〜図５に示したパチンコ機１０と同じであるので、詳細な説明を省略する。
【００２１】
本参考例に係るパチンコ機１０によれば、遊技盤１３Ａの識別標識用凹部１３ｄの底面に直接識別標識番号１３ｅを付すのではなくて、識別標識用凹部１３ｄにシート３１を貼着し、このシート３１に識別標識番号１３ｅを付すので、遊技盤１３Ａの材質にインクが付着し難いアクリル樹脂板を使用しても識別標識を付すことが可能となる。
【００２２】
なお、上記参考例では遊技盤１３，１３Ａの底面に識別標識番号１３ｅを付したが、遊技盤１３，１３Ａにおける底面以外の他の側面に識別標識用凹部１３ｄを設けて識別番号を付すことも可能である。
【実施例１】
【００２３】
以下に本発明の第１実施例に係るパチンコ機１０Ａを図７〜図１１に基づき説明する。当該パチンコ機１０Ａは本体枠１１、扉１２及び遊技盤１３を備えている。図９に示すように、本実施例に係るパチンコ機１０Ａの遊技盤１３Ｂの底辺中央部には嵌合用凹部１３ｃが形成されている。また、嵌合用凹部１３ｃの一側には、図１０に示すように、パチンコ機の製造工程において、この遊技盤１３Ｂの障害釘２２を打ち付ける工程に使用した自動釘打ち機の識別標識番号１３ｅである「１−２１１０２６」がインクジェットを用いて付されている。
【００２４】
一方、図８に示すように、本体枠１１の開口端面１１ａに遊技盤１３Ｂの金属製取付プレート２３が固着されている。金属製取付プレート２３は縦プレート片２３ａと横プレート片２３ｂからなるＬ字形の輪郭を有し、その縦プレート片２３ａに上下一対の掛止金具２３ｃが固着されている。また、横プレート片２３ｂに嵌合凸部２３ｄが形成されている。さらにまた横プレート片２３ｂにおける嵌合凸部の一側に識別標識用凹部２３ｅが形成されている。
【００２５】
図１１に示すように、遊技盤１３Ｂは左端縁部を掛止金具２３ｃに掛止し、底面を横プレート片２３ｂに当接させるとともに嵌合凸部２３ｄを嵌合凹部１３ｃに嵌合することにより、本体枠１１の前面開口１１ａ内に組み付けられている。
識別標識用凹部２３ｅは横プレート片２３ｂにおける、遊技盤１３Ｂを開口１３ａに取り付けたとき遊技盤１３Ｂの識別標識番号１３ｅが対面する部位に形成されている。
なお、本実施例に係るパチンコ機１０Ａの他の構成は図１〜図５に示した第１参考例に係るパチンコ機１０と同じであるので、同一の構成要素には同一の符号を付して説明を省略する。
【００２６】
本実施例に係るパチンコ機１０Ａの構造は以上の通りであって、本体枠１１の前面開口１１ａの遊技盤取付面となる金属製取付プレート２３における遊技盤１３Ｂの識別標識番号１３ｅが対面する部位に識別標識用凹部２３ｅを形成したので、遊戯盤１３Ｂを本体枠開口１１ａに着脱する際、識別標識番号１３ｅと識別標識用凹部２３ｅとの間に隙間が形成される。そのため識別標識番号１３ｅが本体枠開口１１ａの取付面に接触して判読不能に汚れるのを防止できる。
【実施例２】
【００２７】
次に、本発明の第２実施例を図面に基づき説明する。図１２には第２実施例に係るパチンコ機１０Ａの遊技盤１３Ｃが示されている。当該遊技盤１３Ｃの材質にはアクリル樹脂板が使用されている。また、遊技盤１３Ｃの底面には紙製シート３１が貼着され、該シート３１にスタンプで自動釘打ち機の識別標識番号１３ｅとして「２」の数字が捺印されている。
なお、本実施例に係るパチンコ機１０Ａの他の構造は図７〜図１１に示したパチンコ機１０Ａと同じであるので、詳細な説明を省略する。
【００２８】
本実施例に係るパチンコ機１０Ａによれば、遊技盤１３Ｃの底面に直接識別標識番号１３ｅを付すのではなくて、遊技盤１３Ｃの底面にシート３１を貼着し、このシート３１に識別標識番号１３ｅを付すので、遊技盤１３Ｃの材質にインクが付着し難いアクリル樹脂板を使用しても識別標識を付すことが可能となる。
【符号の説明】
【００２９】
１０，１０Ａ…パチンコ機
１１…本体枠
１２…扉
１３，１３Ａ，１３Ｂ，１３Ｃ…遊技盤
１３ａ…遊技領域
１３ｄ…識別標識用凹部
１３ｅ…識別標識番号
２０，２１…ガイドレール
２２…障害釘
２３…金属製取付プレート
２３ｅ…識別標識用凹部
３１…シート
【図１】
0005425606.tif 000002
【図２】
0005425606.tif 000003
【図３】
0005425606.tif 000004
【図４】
0005425606.tif 000005
【図５】
0005425606.tif 000006
【図６】
0005425606.tif 000007
【図７】
0005425606.tif 000008
【図８】
0005425606.tif 000009
【図９】
0005425606.tif 000010
【図１０】
0005425606.tif 000011
【図１１】
0005425606.tif 000012
【図１２】
0005425606.tif 000013